(57)【要約】      （修正有）【課題】品物を収納するために用いられるトレーラーのドローバー構造を提供する。【解決手段】ドローバー構造１０がトレーラーを支持するか牽引する主要構造で、各棒管１１０が上端１０７及び下端１０５並びに横棒で、その両端がそれぞれ棒管１１０の上端１０７に連結し、そのうち、横棒１０８が二個の収納袋を掛けるために用いられる突起のフック状体１０９を備え、収納袋がビニール袋または通常に使用される把持部がある袋とすることができ、また、棒管１１０の下端１０５がそれぞれ車輪１０４に連結する。ドローバー構造１０がまた把持棒１１１を含み、そのうち、把持棒１１１の両端がそれぞれ棒管１１０の上端１０７に連結し、手が握ることができるようにさせる。【選択図】図１
0003208269.tif 000002
【実用新案登録請求の範囲】
【請求項１】
品物を収納するために用いられるトレーラのドローバー構造であって、それがトレーラーを支持するか牽引する主要構造で、そのうち、ドローバー構造が以下を含む：
一対の棒管、各棒管が上端及び下端並びに横棒で、その両端がそれぞれ棒管の上端に連結し、そのうち、横棒が少なくとも収納袋を掛けるために用いられる備える。
【請求項２】
請求項の範囲の第１項の品物を収納するために用いられるトレーラのドローバー構造であって、そのうち、棒管の下端にそれぞれすくなくとも車輪に連結する。
【請求項３】
請求項の範囲の第１項の品物を収納するために用いられるトレーラのドローバー構造であって、それが別に把持棒を含み、そのうち、把持棒の両端がそれぞれ棒管の上端に連結し、手が把持することができるようにさせる。
【請求項４】
請求項の範囲の第１項の品物を収納するために用いられるトレーラのドローバー構造であって、それが別に収納袋を含み、袋の本体及び本体の上端の連結部を含み、そのうち、連結部がすくなくとも突起のフック状体と吻合する穴を備え、収納袋が横棒の上に置くようにさせるが、すくなくとも突起のフック状体を覆わない。
【請求項５】
請求項の範囲の第１項の品物を収納するために用いられるトレーラのドローバー構造であって、そのうち、棒管が相互に平行する。
【請求項６】
請求項の範囲の第１項の品物を収納するために用いられるトレーラのドローバー構造であって、そのうち、横棒が棒管に垂直に連結する。
【請求項７】
請求項の範囲の第３項の品物を収納するために用いられるトレーラのドローバー構造であって、そのうち、把持棒が該横棒に平行する。
【請求項８】
請求項の範囲の第１項の品物を収納するために用いられるトレーラのドローバー構造であって、そのうち、品物を収納するために用いられるトレーラがハンドトレーラーである。
【請求項９】
請求項の範囲の第７項の品物を収納するために用いられるトレーラのドローバー構造であって、そのうち、ハンドトレーラーがトランク、野菜放置カートとする。
【請求項１０】
請求項第１項の品物を収納するために用いられるトレーラのドローバー構造であって、そのうち、棒管が伸縮することができるものとする。
【請求項１１】
請求項第１項の品物を収納するために用いられるトレーラのドローバー構造であって、そのうち、すくなくとも突起のフック状体がＵ状管とする。
【考案の詳細な説明】
【技術分野】
【０００１】  本実用新案は、品物を収納するために用いられるトレーラのドローバー構造とその製品に関するものである。
【背景技術】
【０００２】  日常生活では、多くの貨物を運ぶトレーラーを見ることができ、トレーラーの上に書類や貨物が載せられ、路上に牽引したり使用されている。且つ、軽くて容易に解体できる。通常には商品、食材などを購入するために用いられるショッピングカートまたは野菜置けカートに、中空のカゴが設けられ、下方にハンドルとホイールつけていて、購入された品物をカゴの中に入れ、ハンドルの牽引で、よりよい楽しいお買い物ができ、便利性を一層よくなる。
【考案の概要】
【考案が解決しようとする課題】
【０００３】しかし、これまでの買い物に行くときに、容易に手持品を放置してカバンを持つことになる。片手でトレーラーによって物を運んだりすると、カバンを持ちにくくなることである、又は購入されるものがショッピングカート若しくは野菜放置カートの容量を超える場合は、手軽さ、便利に使用することができないことになる。
【課題を解決するための手段】
【０００４】トレーラーによって品物を運ぶときに、容易に所持するカバンを携帯することができない迷惑を解決するために、従来のトレーラーを改善し、本実用新案に至る。【０００５】本実用新案は、品物を収納するために用いられるトレーラのドローバー構造を提供し、それが該当トレーラーを支持するか牽引する主要構造で、そのうち、ドローバー構造が以下を含む：一対の棒管、各ロッドが上端及び下端並びに横棒で、その両端がそれぞれ棒管の上端に連結し、そのうち、横棒が少なくとも収納袋を掛けるために用いられる突起のフック状体を備える。好ましい実施形態において、棒管の下端にそれぞれすくなくとも車輪に連結する。【０００６】本実用新案に係る品物を収納するために用いられるトレーラのドローバー構造であって、それが別に把持棒を含み、そのうち、把持棒の両端がそれぞれ棒管の上端に連結し、手が握ることができるようにさせる。一実施形態において、棒管が相互に平行する。好ましい実施形態において、ドローバー構造の横棒が棒管に垂直に繋がる。より最善な実施形態において、把持棒が横棒と平行する。【０００７】本実用新案に係る品物を収納するために用いられるトレーラのドローバー構造であって、それが別に収納袋を含む。袋の本体及び本体の上端の連結部を含み、そのうち、該当連結部がすくなくとも突起のフック状体と吻合する穴を備え、収納袋が横棒の上に置くようにするが、すくなくとも突起のフック状体を覆わない。
【考案の効果】
【０００８】本実用新案の最善な実施形態において、品物を収納するために用いられるトレーラがハンドトレーラーである。ハンドトレーラーが人力によって動かす輸送ツールとし、スーパーマーケットショッピングカート、荷物カート、ベビーハンドトレーラー、トランク、野菜放置カートとすることができ、また、それらがすべて好例である。本実用新案のよりよい実施形態において、ハンドトレーラーがトランク、野菜放置カートとする。【０００９】本実用新案に係る品物を収納するために用いられるトレーラのドローバー構造であって、そのうち、棒管が伸縮することができるものとし、すくなくとも突起のフック状体が一Ｕ状管とする。
【図面の簡単な説明】
【００１０】
【図１】本実用新案の品物を収納するために用いられるトレーラのドローバー構造を示す図である。
【考案を実施するための形態】
【００１１】以下、本実用新案の最も最善な実施形態について詳しく説明する。その中に列挙される実施形態の図面番号及びアイコンの中に示される番号に一致し、図及び詳細説明の両方を参照してください。
以下の実施形態の目的が本実用新案を限定するわけではなく、本実用新案の複数種類の態様及びの特徴のサンプルのみとする。
【００１２】図１が本実用新案の品物を収納するために用いられるトレーラのドローバー構造を示す図面で、それが野菜放置カートを例にするが、しかし、本実用新案が野菜放置カートに限定されるものではない。ハンドトレーラー、トランクのような任意の品物を収納することができるトレーラがすべて本実用新案のドローバー構造を使用することができる。
本実用新案のドローバー構造１０が該当トレーラーを支持するか牽引する主要構造で、そのうち、ドローバー構造１０が以下を含む：各棒管１１０が上端１０７及び下端１０５並びに横棒で、その両端がそれぞれ棒管１１０の上端１０７に連結し、そのうち、横棒１０８が二個の収納袋を掛けるために用いられる突起のフック状体１０９を備え、収納袋がビニール袋または通常に使用される把持部がある袋とすることができ、また、棒管１１０の下端１０５がそれぞれ車輪１０４に連結する。
【００１３】本実用新案のドローバー構造１０がまた把持棒１１１を含み、そのうち、把持棒１１１の両端がそれぞれ棒管１１０の上端１０７に連結し、手が握ることができるようにさせる。この実施形態において、棒管１１０が相互に平行し、また、横棒１０８が棒管１１０に垂直に連結し、把持棒１１１が横棒１０８と平行するが、棒管が平行のように構成に限定されなく、また、台形のような両斜辺またはその他のように構成されることが可能である。横棒１０８が棒管１１０と任意の角度で連結することができ、垂直に限定するわけではない。また、把持棒１１１と横棒１０８も平行に限定するわけではない。
【００１４】本実用新案のドローバー構造１０が別に収納袋１０３を含み、袋の本体１０６及び本体の上端の連結部１０２を含み、また、連結部１０２も別の袋の本体を含むことができ、そのうち、連結部１０２が突起のフック状体１０９と吻合する穴１０１を備え、収納袋１０３が横棒１０８の上に置くようにさせるが、突起のフック状体１０９を覆わない。
【００１５】一実施形態において、突起のフック状体１０９が一Ｕ状管とするが、フック状体１０９の形状がそれに限定されない。任意の突起の形状がすべて使用することができる。本実施形態の野菜放置カゴが網状で開口部が設けられる矩形カゴ体とするが、また、内部がアルミ箔で構成される保温袋体とすることもできる。本実用新案のドローバー構造１０がまたトランクに使用することができるため、棒管１１０が伸縮し、長さを調整することができるものとする。
【００１６】本実用新案が前述の実施形態によって開示されるが、本実用新案を限定するわけではなく、任意のこの技術を習熟するものは、本実用新案の精神から逸脱しない範囲内、若干の変更及び修正を行うことができるため、本実用新案の特許保護範囲がこの説明書に添付された特許出願範囲に限定されるものに準じなければならない。
【符号の説明】
【００１７】１０      本実用新案のドローバー構造
１０１    フック状体と吻合する穴
１０２    収納袋の本体の上端の連結部
１０３    収納袋
１０４    車輪
１０５    棒管の下端
１０６    収納袋の本体
１０７    棒管の上端
１０８    横棒
１０９    フック状体
１１０    棒管
１１１    把持棒
【図１】
0003208269.tif 000003
【手続補正書】
【提出日】平成28年4月27日(2016.4.27)
【手続補正１】
【補正対象書類名】実用新案登録請求の範囲
【補正対象項目名】全文
【補正方法】変更
【補正の内容】
【実用新案登録請求の範囲】
【請求項１】
品物を収納するために用いられるトレーラのドローバー構造である、これはトレーラを支持し牽引する主要構造であり、トレーラのドローバー構造が一対の棒管、各棒管の上側部分及び下側部分と一本の横棒、その両端がそれぞれ棒管の上側部分に連結し、そのうち、当横棒に収納袋を掛けるために突き出る鉤状のものが少なくとも一つあるという特徴を備えるトレーラのドローバー構造。
【請求項２】
一対の棒管の下端にそれぞれすくなくとも一個の車輪に連結する請求項１に記載のトレーラのドローバー構造。
【請求項３】
手で握られるように、両端がそれぞれ該対の棒管の上端に連結する把持棒を備える請求項１に記載のトレーラのドローバー構造。
【請求項４】
横棒の上にかけるように、本体及び本体の上端の連結部を含み、連結部がすくなくとも一個のある突起の鉤状のものと吻合し、しかも鉤状のものを覆わない穴を備える収納袋のある請求項１に記載のトレーラのドローバー構造。
【請求項５】
一対の棒管が相互に平行する請求項１に記載のトレーラのドローバー構造。
【請求項６】
横棒が一対の棒管に垂直的に連結する請求項１に記載のトレーラのドローバー構造。
【請求項７】
把持棒が横棒に平行する請求項３に記載のトレーラのドローバー構造。
【請求項８】
品物を収納するために用いられるトレーラがハンドトレーラーである請求項１に記載のトレーラのドローバー構造。
【請求項９】
ハンドトレーラーがトランク、野菜放置カートとする請求項７に記載のトレーラのドローバー構造。
【請求項１０】
一対の棒管が伸縮できる請求項１に記載のトレーラのドローバー構造。
【請求項１１】
すくなくとも突き出る鉤状のものがＵ状管とする請求項１に記載のトレーラのドローバー構造。
【手続補正書】
【提出日】平成28年8月2日(2016.8.2)
【手続補正１】
【補正対象書類名】実用新案登録請求の範囲
【補正対象項目名】全文
【補正方法】変更
【補正の内容】
【実用新案登録請求の範囲】
【請求項１】
品物を収納するために用いられるトレーラのドローバー構造。トレーラーを支えて牽引する主要構造であり、トレーラのドローバー構造が一対の棒管と、その両端がそれぞれ前記棒管の上側部分に連結した横棒とを含み、そのうち、当横棒に収納袋を掛けられる突き出ている鉤状のものが少なくとも一つある。
【請求項２】
一対の棒管の下端にそれぞれすくなくとも一個の車輪が連結する請求項１に記載されているトレーラのドローバー構造。
【請求項３】
手で握られるように、両端がそれぞれ該対の棒管の上端に連結する把持棒を備える請求項１に記載のトレーラのドローバー構造。
【請求項４】
横棒の上にかけるように、本体及び本体の上端の連結部を含み、連結部がすくなくとも一個のある突起の鉤状のものと吻合し、しかも鉤状のものを覆わない穴を備える収納袋のある請求項１に記載のトレーラのドローバー構造。
【請求項５】
一対の棒管が相互に平行する請求項１に記載のトレーラのドローバー構造。
【請求項６】
横棒が一対の棒管に垂直的に連結する請求項１に記載のトレーラのドローバー構造。
【請求項７】
把持棒が横棒に平行する請求項３に記載のトレーラのドローバー構造。
【請求項８】
品物を収納するために用いられるトレーラがハンドトレーラーである請求項１に記載のトレーラのドローバー構造。
【請求項９】
ハンドトレーラーがトランク、野菜放置カートとする請求項８に記載されているトレーラのドローバー構造。
【請求項１０】
一対の棒管が伸縮できる請求項１に記載のトレーラのドローバー構造。
【請求項１１】
すくなくとも突き出る鉤状のものがＵ状管とする請求項１に記載のトレーラのドローバー構造。
【手続補正書】
【提出日】平成28年10月14日(2016.10.14)
【手続補正１】
【補正対象書類名】実用新案登録請求の範囲
【補正対象項目名】全文
【補正方法】変更
【補正の内容】
【実用新案登録請求の範囲】
【請求項１】
品物を収納するために用いられるトレーラのドローバー構造であって、トレーラーを支えて牽引する主要構造であり、トレーラのドローバー構造が一対の棒管と、その両端がそれぞれ前記棒管の上側部分に連結した横棒とを含み、そのうち、当横棒に収納袋を掛けられる突き出ている鉤状のものが少なくとも一つあるトレーラのドローバー構造。
【請求項２】
一対の棒管の下端にそれぞれすくなくとも一個の車輪が連結する請求項１に記載されているトレーラのドローバー構造。
【請求項３】
手で握られるように、両端がそれぞれ該対の棒管の上端に連結する把持棒を備える請求項１に記載のトレーラのドローバー構造。
【請求項４】
横棒の上にかけるように、本体及び本体の上端の連結部を含み、連結部がすくなくとも一個のある突起の鉤状のものと吻合し、しかも鉤状のものを覆わない穴を備える収納袋のある請求項１に記載のトレーラのドローバー構造。
【請求項５】
一対の棒管が相互に平行する請求項１に記載のトレーラのドローバー構造。
【請求項６】
横棒が一対の棒管に垂直的に連結する請求項１に記載のトレーラのドローバー構造。
【請求項７】
把持棒が横棒に平行する請求項３に記載のトレーラのドローバー構造。
【請求項８】
品物を収納するために用いられるトレーラがハンドトレーラーである請求項１に記載のトレーラのドローバー構造。
【請求項９】
ハンドトレーラーがトランク、野菜放置カートとする請求項８に記載されているトレーラのドローバー構造。
【請求項１０】
一対の棒管が伸縮できる請求項１に記載のトレーラのドローバー構造。
【請求項１１】
すくなくとも突き出る鉤状のものがＵ状管とする請求項１に記載のトレーラのドローバー構造。